(57)【要約】      （修正有）【課題】検出作用に死角がないタッチパネルの検出装置の構造を提供する。【解決手段】基板２の四辺のそれぞれ相対する２組の辺、第一辺２０と第二辺２１、及び第三辺２２と第四辺２３に配置する赤外線トランスミッター及びレシーバーを、第一辺２０と第二辺２１において、複数のトランスミッター２０１とレシーバー２１１とをそれぞれ相対して、一ピッチずつずらして平行に配置し、同様に第三辺２２と第四辺２３において、複数のトランスミッター２２１とレシーバー２３１とをそれぞれ相対して、一ピッチずつずらして平行に配置して、マトリックスを構成する。複数のトランスミッターとレシーバーとの間の光路の遮断の有無を検出することにより、死角のない検出効果が得られる。【選択図】図４
0003177328.tif 000002
【実用新案登録請求の範囲】
【請求項１】
基板、トランスミッター及びレシーバーから構成されるタッチパネルの光学的検出装置において、
該基板は四辺形からなり、その相対する辺である第一辺と第二辺、及び第三辺と第四辺にそれぞれの辺に相対してそれぞれ１以上の第一固定部と第二固定部、及び第三固定部と第四固定部を設けると共に、
これらの相対する辺の固定部をそれぞれ平行な関係を維持してずらして配置し、
前記第一固定部に第一トランスミッターを
前記第三固定部に第二トランスミッターを、
また、前記第二固定部に第一レシーバーを
前記第四固定部に第二レシーバーを、それぞれ配置し、
第一トランスミッターに対して第一レシーバーを、第二トランスミッターに対して第二レシーバーをそれぞれ平行な関係を維持してずらした位置に配置したことを特徴とするタッチパネルの光学的検出装置。
【請求項２】
前記第一トランスミッター及び第二トランスミッターのそれぞれ１つに対して相対する第一レシーバー及び第二レシーバーのそれぞれ２つがその信号を受信することを特徴とする請求項１記載のタッチパネルの光学的検出装置。
【請求項３】
前記第一、第二トランスミッターは、第一レシーバー、第一レシーバーに対してそれぞれ一対一に対応して配置されたことを特徴とする請求項１記載のタッチパネルの光学的検出装置。
【請求項４】
前記ビームは赤外線であることを特徴とする請求項３記載のタッチパネルの光学的検出装置。
【考案の詳細な説明】
【技術分野】
【０００１】
本考案は、基板に設けるトランスミッター及びレシーバーの位置により、基板に生じる死角問題を改善するタッチパネル検出装置の構造に関する。
【背景技術】
【０００２】
テクノロジーが絶えず進歩し、市場に出回る電子製品は体積が小さく、モニターが大きくなる趨勢であるが、操作ボタンを無くすことができないため、タッチパネルモニターのニーズがますます大きくなる。
【０００３】
赤外線タッチパネルは、現有の大きいサイズのタッチパネルモニターの最も普遍的な技術である。赤外線タッチパネルの基本的な構造は、一つのタッチパネル基板の周りに一定の配列で複数のトランスミッター及び複数のレシーバーを設置し、該トランスミッター及びレシーバーは一対一で互いに対応した形で配置し、整然と交差した赤外線ネットを形成する。またタッチ基板の縁に沿って、互いに垂直に配列する送信と受信を構成し、プロセッサの制御下で一定の順序に基づきそれぞれ互いに対応するトランスミッターとレシーバーを接続し、互いに対応するトランスミッターとレシーバーの間にある赤外線が遮断されているか否かを検出することで、接触時間の発生があったか否かを判断する。
【０００４】
図１に示すのは、従来技術のタッチパネルの検出装置であり、基板１を有する。該基板１は、複数のトランスミッター１０及び複数のレシーバー１１を具有する。該基板１の回りにトランスミッター１０及びレシーバー１１を設け、トランスミッター１０とレシーバー１１が一対一で対応する赤外線タッチマトリックスを構成するため、膨大な数のＬＥＤモジュールトランスミッター１０及びレシーバー１１を必要とする。
或いは、図２に示すように、一つのレシーバー１１により複数のトランスミッター１０が発する赤外線を受信し、複数のトランスミッター１０が順番に発射し、続いて更に該レシーバー１１によって光路が遮断されているか否かを識別する。
又は、図３に示すように、一つのトランスミッター１０及び複数のレシーバー１１により複数本の赤外線の接続を形成する。
前記のどの基板１も、すべての一つの光路に一つのタッチポイントのみしか設置できず、十分に光路のスペースを利用して相当数のタッチポイントを設置することができず、また有効に基板１のスペースを利用していない。このほか、基板１に死角を作ることになる。
【０００５】
従来技術の欠点は下記の通り：
１．死角がある。
２．タッチ制御が曖昧で不明確である。
３．基板のスペース利用の効率が悪い。
従来技術の欠点を鑑みて、更なる改善が必要であった。
【先行技術文献】
【特許文献】
【０００６】
【特許文献１】特開２００１−１４２６４３号公報
【考案の概要】
【考案が解決しようとする課題】
【０００７】
前記公知構造の欠点を解決するため、本考案の第１の目的は、従来技術の基板が生じる死角問題を改善するタッチパネルの検出装置の構造を提供することにある。
本考案の第２の目的は、有効に基板のスペースを利用するタッチパネルの検出装置の構造を提供することにある。
【課題を解決するための手段】
【０００８】
上述の目的を解決するために、本考案はタッチパネルの検出装置の構造を提供するものである。本考案のタッチパネルの検出装置は、基板、少なくとも一つの第一トランスミッター、少なくとも一つの第二トランスミッター、少なくとも一つの第一レシーバー及び少なくとも一つの第二レシーバーにより構成する。
前記基板は各辺からそれぞれ第一辺及び第二辺及び第三辺及び第四辺を構成し、前記第一、第二辺は互いに対応し、第三、第四辺は互いに対応する。第一、第二辺はそれぞれ少なくとも一つの第一固定部及び少なくとも一つの第二固定部を設け、第三、第四辺はそれぞれ少なくとも一つの第三固定部及び少なくとも一つの第四固定部を設ける。該第一、第二固定部は平行な関係を維持してずらして相対して設置し、第三、第四固定部は平行な関係を維持してずらして相対して設置する。前記第一トランスミッターは該第一固定部に設置し、該第二トランスミッターは該第三固定部に設置する。該第一レシーバーは前記第二固定部に設置し、該第二レシーバーは前記の第四固定部に設置する。  
【０００９】
前記のタッチパネルの検出装置により、前記第一、第二トランスミッター及び第一、第二レシーバーは平行な関係を維持してずらして相対して配置することにより、該第一、第二トランスミッターが発する赤外線光路は、対応する第一、第二レシーバーが受信する範囲をカバーすることができ、従来技術のトランスミッター及びレシーバーが平行且つ対応して設置する方法により、従来技術のトランスミッターが発する赤外線の光路が対応するレシーバーのみ垂直に対応して投射するだけで、大面積の検出を受信できずに死角が生じることに対して、基板スペースがもっと効率よく利用され、且つ死角を改善し、及びタッチが不明確な問題を改善する。
【考案の効果】
【００１０】
本考案はそれぞれ対応する２対の辺を具有する基板及び、各辺に一つずつの固定部を設け、該固定部はそれぞれ平行な関係を維持してずらして相対して設置する。更に該固定部にそれぞれ第一、第二トランスミッター及び第一、第二レシーバーを設置することにより、従来技術の基板に生じる死角の問題を改善し、及びタッチが不明確な問題を改善し、且つ基板スペースの利用効率を上げる。
【図面の簡単な説明】
【００１１】
【図１】従来技術のタッチパネルの検出装置の略図である。
【図２】従来技術のタッチパネルの検出装置の第二の略図である。
【図３】従来技術のタッチパネルの検出装置の第三の略図である。
【図４】本考案のタッチパネルの検出装置の第一実施例の略図である。
【図５】本考案のタッチパネルの検出装置の第二実施例の略図である。
【考案を実施するための形態】
【実施例】
【００１２】
本考案によるタッチパネルの検出装置の構造を明確に示すために図に沿って詳細な説明を行う。
【００１３】
図４に示すのは、本考案のタッチパネルの検出装置の第一実施例の略図である。図に示すように、タッチパネルの検出装置は、基板２、少なくとも一つの第一トランスミッター２４、少なくとも一つの第二トランスミッター２５、少なくとも一つの第一レシーバー２６及び少なくとも一つの第二レシーバー２７により構成する。
前記基板２は、第一辺２０及び第二辺２１及び第三辺２２及び第四辺２３で構成する一つの中空枠体である。前記第一、第二辺２０、２１は対辺であり、第三、第四辺２２、２３は同じく対辺である。第一、第二辺２０、２１はそれぞれ少なくとも一つの第一固定部２０１及び少なくとも一つの第二固定部２１１を設け、第三、第四辺２２、２３はそれぞれ少なくとも一つの第三固定部２２１及び少なくとも一つの第四固定部２３１を設ける。第一、第二固定部２０１、２１１は平行な関係を維持してずらして相対して設置し、第三、第四固定部２２１、２３１は平行な関係を維持してずらして相対して設置する。
【００１４】
前記第一トランスミッター２４は該第一固定部２０１に設置し、該第二トランスミッター２５は該第三固定部２２１に設置する。該第一レシーバー２６は前記第二固定部２１１に設置し、該第二レシーバー２７は前記の第四固定部２３１に設置する。第一、第二トランスミッター２４、２５は一つのビームを発射し、該ビームは赤外線である。
【００１５】
前記タッチパネルの検出装置の構成は、第一、第二トランスミッター２４、２５及び第一、第二レシーバー２６、２７が一対一で平行な関係を維持してずらして相対して配置方法により、第一、第二トランスミッター２４、２５が発する赤外線の光路が対応して該転位配置する第一、第二レシーバー２６、２７に投射し、光路を形成する。このように従来技術のトランスミッター及びレシーバーが平行な関係を維持してずらして相対して設置する方法により、従来技術のトランスミッターが発する赤外線の光路が対応するレシーバーのみ垂直に対応して投射するだけで、大面積の検出を受信できずに死角が生じる問題を改善し、更に基板スペースがもっと効率よく利用できるほか、従来技術の死角問題を改善することができる。
【００１６】
図５に示すのは、本考案のタッチパネルの検出装置の第二実施例の略図である。前記タッチパネルの検出装置部分の部品及び部品同士の対応関係は前記のタッチパネル検出装置と同じであるため、再度記述しない。
本タッチパネル検出装置と前記実施例との主な相違は、前記第一トランスミッター２４が発する赤外線光路は該転位配置する少なくとも二つの第一レシーバー２６に対応して投射し、該第二トランスミッター２５が発する赤外線光路は該転位配置する少なくとも二つの第一レシーバー２７に対応して投射し、複数の光路を形成する。同様に従来技術のトランスミッター及びレシーバーが平行且つ互いに対応して設置する方法により、従来技術のトランスミッターが発する赤外線の光路が対応するレシーバーのみ垂直に対応して投射するだけで、大面積の検出を受信できずに死角が生じる問題を改善し、更に基板スペースがもっと効率よく利用できるほか、従来技術の死角問題を改善することができる。
【００１７】
図５に示すように、第一レシーバー２６は平行な関係を維持してずらして相対する配置の少なくとも二つの第一トランスミッター２５が発する赤外線光路を受信することができる。前記第二レシーバー２７は平行な関係を維持してずらして相対する配置の少なくとも二つの第一トランスミッター２５が発する赤外線光路を受信することができる。このように従来技術のトランスミッター及びレシーバーが平行且つ互いに対応して設置する方法により、従来技術のトランスミッターが発する赤外線の光路が対応するレシーバーのみ垂直に対応して投射するだけで、大面積の検出を受信できずに死角が生じる問題を改善し、更に基板スペースがもっと効率よく利用できるほか、従来技術の死角問題を改善することができる。
【００１８】
上記のように、本考案は従来技術に比べ、下記のメリットを具有する：
１、       
死角が生じる問題を解決。
２、       
基板スペースの利用効率を向上する。
【００１９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２０】
２  基板
２０  第一辺
２０１  第一固定部
２１  第二辺
２１１  第二固定部
２２  第三辺
２２１  第三固定部
２３  第四辺
２３１  第四固定部
２４  第一トランスミッター
２５  第二トランスミッター
２６  第一レシーバー
２７  第二レシーバー
【図１】
0003177328.tif 000003
【図２】
0003177328.tif 000004
【図３】
0003177328.tif 000005
【図４】
0003177328.tif 000006
【図５】
0003177328.tif 000007